【事件の表示】
　特願２００６−１１９１５８「Ｘ線ＣＴ装置及び乳房固定具」拒絶査定不服審判事件〔平成１９年１１月　８日出願公開、特開２００７−２８９３２６〕について、次のとおり審決する。
【結　論】
　本件審判の請求は、成り立たない。
【理　由】
第１　手続の経緯 
　本願は，平成１８年４月２４日を出願日とする出願であって，平成２３年４月２７日付けで拒絶理由が通知され，同年６月２９日付けで手続補正がなされ，平成２４年４月４日付けで拒絶理由が通知され，同年６月１３日付けで手続補正がなされ，同年１１月２６日付けで拒絶査定がなされ，平成２５年３月４日に拒絶査定不服審判の請求がなされるとともに，同日付けにて手続補正（以下，「本件補正」という。）がなされたものである。
　
第２　本件補正についての補正の却下の決定　
［補正の却下の決定の結論］　
　本件補正を却下する。　
　
［理由］　
１　補正後の本願発明　
　本件補正により，補正前の特許請求の範囲の請求項３は，
「【請求項３】
　被検者の乳房撮影のために使用する乳房固定具であって，
　被検者がうつ伏せ状態で寝ることができ放射線が透過可能であり，被検者の顔の部分が載る第１の部分と，胸部が載る第２の部分と，腹部以下の下半身が載る第３の部分を有し，前記第１の部分の厚さが前記第３の部分の厚さよりも大きく，前記第２の部分が前記第３の部分から第１の部分に向かって厚さが漸増するマット部材と，
　前記マット部材の前記第２の部分に形成され，被検者の左右の乳房を個別に入れることができる分離した一対の椀状の窪みと，
　
前記マット部材の
の窪
にあって
られる
　前記
一対の
記窪
，前記マット部材に形成した
と補正された。（下線は補正箇所を示す。）　
　
２　本件補正の適否
（１）本件補正は，補正前の請求項３に係る発明を特定するために必要な事項である「前記窪みに乳房を挿入した状態で前記一対の窪み内の空気を吸引するため」を
「前記
一対の
記窪
「一対」との修飾語を省いたものであり，その結果「一方」のみの「窪み」「内の空気を吸引するため」も含むものとなっており，特許請求の範囲を拡張するものであるから，特許請求の範囲の減縮を目的とするものではない。
　また，請求項の削除，誤記の訂正，又は明りょうでない記載の釈明を目的とするものでもないことは明らかである。
　したがって，本件補正は，平成１８年法律第５５号改正附則第３条第１項によりなお従前の例によるとされる同法による改正前（以下，「平成１８年法改正前」という。）の特許法第１７条の２第４項の規定に違反するので，同法第１５９条第１項において読み替えて準用する同法第５３条第１項の規定により却下すべきものである。 
　
（２）仮に，上記補正後の「前
記窪
窪
一対の
　
　本件補正は，補正前の請求項３に係る発明を特定するために必要な事項である「空気を吸引するための吸引穴」について，「空気を吸引するため
，前記マット部材に形成した
　したがって，本件補正は，平成１８年法改正前の特許法第１７条の２第４項第２号の特許請求の範囲の減縮を目的とするものに該当する。
　そこで，本件補正後の前記請求項３に係る発明（以下「補正発明」という。）が，特許出願の際独立して特許を受けることができるものであるか（平成１８年法改正前の特許法第１７条の２第５項において準用する同法第１２６条第５項の規定に適合するか）について以下に検討する。
　
３　独立特許要件についての検討
３−１　引用刊行物およびその記載事項（下線は当審で付与した。）
（１）本願の出願前に頒布され，原査定の拒絶の理由に引用された刊行物である実願平１−７５２２２号（実開平３−１３１０７号）のマイクロフィルム（以下，「刊行物１」という。）には，「マンモ用表面コイル装置」について，図面とともに次の事項が記載されている。
（１−ア）
「［考案の目的］
（産業上の利用分野）
　本考案は，ＭＲＩ撮影に用いられるマンモ用表面コイル装置に関する。」（１頁１６〜１９行）
　
（１−イ）
「（考案が解決しようとする課題）
　ところで従来のマンモ用表面コイル装置では，撮影中長時間にわたり患者にうつ伏せの姿勢を強いているので，患者に苦痛を与えるという問題がある。特に腕は伸ばしっ放しなので体力がない患者の場合は大きな負担がかかることになる。
　本考案は以上のような問題に対処してなされたもので，患者の苦痛を和らげるようにしたマンモ用表面コイル装置を提供することを目的とするものである。
　［考案の構成］
　（課題を解決するための手段）　
　上記目的を達成するために本考案は，
マットに撮影部位を収納する長穴が設けられ
　
（１−ウ）
「（実施例）
　以下図面を参照して本考案実施例を説明する。
　第１図（ａ），（ｂ）は本考案のマンモ用コイル装置の第１の実施例を示す斜視図及び側面図で，
スチーロール等からなるマット１の表面１ａは底面１ｂに対して傾斜して形成されている。これによってマット１の端部は高い部分Ｈと低い部分Ｌとに区別され，高い部分Ｈ側に患者の頭部が位置され一方低い部分Ｌ側には足部が位置されるように用いられる。２は患者の乳房を収納するための長穴であり，マット表面の高い部分Ｈ側に近い位置に形成される。
　このような本実施例によれば患者４を頭部を高くしてマット表面に横たえることにより，患者４の重心は下半身にかかるので
胸部の圧迫感を減少することができる
　
（１−エ）
「［考案の効果］
　以上述べたように本考案によれば，表面コイルを埋込んだマット形状を変えるようにしたので，患者に与える苦痛を和らげることができアーチファクトの少ない画像の撮影が可能となる。」（６頁１２〜１６行）
　
　上記（１−ア）〜（１−エ）の記載と第１〜６図を参照すると，上記刊行物１には， 次の発明が記載されていると認められる。
「　スチーロールからなるマット１であり，表面１ａは底面１ｂに対して傾斜して形成され，これによってマット１の端部は高い部分Ｈと低い部分Ｌとに区別され，高い部分Ｈ側に患者の頭部が位置され一方低い部分Ｌ側には足部が位置されるように用いられ，
マット表面の高い部分Ｈ側に近い位置に撮影部位である患者の乳房を収納するための長穴が形成されたマット１。」（以下，「引用発明」という。）
　
（２）本願の出願前に頒布され，原査定の拒絶の理由に引用された刊行物である「Donald W.McRobbie,Elizabeth A. Moore,Martin J.Graves,Martin R.Prince著，杉村和朗監訳，「標準ＭＲＩ　画像・図から学ぶ基礎と臨床応用」，株式会社オーム社，第１版，平成１６年３月２５日」（以下，「刊行物２」という。）には，図面とともに次の事項が記載されている。
（２−ア）
「この検査は，左右の乳房に１個ずつ，計２個のサーフェイスコイルを有する乳房専用コイルを使用して検査する．患者さんは，両方の乳房が左右のサーフェイスコイルの中へぶら下がるように，コイルの上に腹臥位で横たわる（図２・５（ａ））．腹臥位では，呼吸運動が乳房に対してほんのわずかな影響しか与えない．」（１８頁左欄１〜７行）
　
（２−イ）
図２・５（ａ）と図２・５（ｂ）には，左右の乳房を個別に入れることができる分離した一対の椀状の窪みが記載され，また，図２・５（ａ）には，被検者の顔の部分と，胸部部分と，腹部以下の下半身が載る部分を有し，これらの各部分は区別されており，顔の部分の厚さが前記下半身が載る部分の厚さよりも大きいマット部材が記載されている。
　
（３）本願の出願前に頒布され，原査定の拒絶の理由に引用された刊行物である実公昭４５−１０４２７号公報（以下，「刊行物３」という。）には，図面とともに次の事項が記載されている。
（３−ア）
「　本考案は，付け根部を含めた乳房のＸ線像の鮮明度を高めうる乳房Ｘ線撮影装置に関する。」（１頁左欄２３〜２４行）
　
（３−イ）
「
乳房挿入用容器９は，第３図のように例えば角形材の中央部に乳房５を挿入するくぼみ１０を設け，このくぼみ１０の乳房５の乳首が位置する真下附近に容器が抜ける穴１１を設けて空気吸引用のゴムまたはビニール管等の管１２を取付けた構造のものである。
・・・
　上記装置でＸ線撮影するに当つては，第２図のように検査しようとする乳房５より稍々大きめのサイズのくぼみ１０を有する容器９を選んで乳房５にすつぽり当て，
空気吸引管１２を通して乳房５と容器９のくぼみ１０との隙間の空気を図示しない空気吸引装置で吸引排気する。すると乳房５はその吸引作用により平常時の形状より膨大して容器９のくぼみ１０に略密着する。・・・
　かようにして乳房５をＸ線撮影すれば，乳房５からの散乱線は容器６によつて吸収され，またＸ線吸収特性は乳房５と容器６の材質間ではそれ程差異がないから，乳房５の境界部分が鮮明に従つて乳房５は明瞭なＸ線像としてＸ線フイルムに撮影される
　
（４）本願の出願前に頒布され，原査定の拒絶の理由に引用された刊行物である特開２０００−９３４２５号公報（以下，「刊行物４」という。）には，図面とともに次の事項が記載されている。
（４−ア）
「【０００１】
【発明の属する技術分野】本発明は，診断治療のための医療装置と医療的処置の分野に関する。さらに詳細には，本発明は，女性胸部の固定および撮影並びに処置を容易にする胸部用処置台（Procedure Facilitating Platform）の分野に関する。」
　
（４−イ）
「【００２４】使用時には，胸部１０２の上に胸部安定化装置１００が配置され，さらに乳首１０３を含む乳輪１０４上に開口部１２０が位置合わせされる。
安定化装置１００が置かれると，外側部材１０５と内側部材１１０との間の隙間スペース１３５内に存在する空気が吸引ポート１４５から吸引されることにより，
内側部材に胸部が密着し
　
３−２　対比・判断 
　補正発明と引用発明とを対比する。
ア　引用発明の「撮影部位である患者の乳房を収納するための長穴が形成されたマット１」は，患者の乳房の撮影のために使用することは明らかであり，「収納」が広義の「固定」を意味しているので，補正発明の「被検者の乳房撮影のために使用する乳房固定具」に相当する。
　
イ　引用発明の「スチーロールからなるマット１」は，スチーロールが樹脂であり，放射線が透過するのであるから，補正発明の「放射線が透過可能である」構成を具備することは明らかである。
　また，引用発明は「マット１の」「高い部分Ｈ側に患者の頭部が位置され一方低い部分Ｌ側には足部が位置されるように用いられ」，「マット表面の高い部分Ｈ側に近い位置に」「患者の乳房を収納するための長穴が形成されたマット１。」であり，マット表面の長穴に患者の乳房を収納する姿勢は，うつ伏せ状態となるから，補正発明の「被検者がうつ伏せ状態で寝ることができ」る構成を具備することは明らかである。
　
ウ　引用発明は「表面１ａは底面１ｂに対して傾斜して形成され，これによってマット１の端部は高い部分Ｈと低い部分Ｌとに区別され，高い部分Ｈ側に患者の頭部が位置され一方低い部分Ｌ側には足部が位置されるように用いられ」るので，マット１には，頭部が位置される高い部分と，足部が位置されるように用いられる低い部分があり，その間が傾斜して形成されているのであり，その間に「患者の乳房を収納するための長穴が形成された」部分があるから，被検者の頭部が位置する部分と，胸部が位置する部分と，腹部以下の下半身が位置する部分を有しているといえ，また，頭部は顔の部分でもあるので，
　引用発明の「表面１ａは底面１ｂに対して傾斜して形成され，これによってマット１の端部は高い部分Ｈと低い部分Ｌとに区別され，高い部分Ｈ側に患者の頭部が位置され一方低い部分Ｌ側には足部が位置されるように用いられ」るマット１において，
「マット表面の高い部分Ｈ側に近い位置に」形成された「撮影部位である患者の乳房を収納するための長穴」と，
補正発明の「被検者の顔の部分が載る第１の部分と，胸部が載る第２の部分と，腹部以下の下半身が載る第３の部分を有し，前記第１の部分の厚さが前記第３の部分の厚さよりも大きく，前記第２の部分が前記第３の部分から第１の部分に向かって厚さが漸増するマット部材と，
　前記マット部材の前記第２の部分に形成され，被検者の左右の乳房を個別に入れることができる分離した一対の椀状の窪み」とは，
「被検者の顔の部分が位置する部分と，胸部が位置する部分と，腹部以下の下半身が位置する部分を有し，前記被検者の顔の部分が位置する部分の厚さが前記腹部以下の下半身が位置する部分の厚さよりも大きいマット部材と，
　前記マット部材の前記胸部が位置する部分に形成され，被検者の左右の乳房を入れることができる窪み」の点で共通する。
　
　そうすると，両者は，　
（一致点）　
　「被検者の乳房撮影のために使用する乳房固定具であって，
　被検者がうつ伏せ状態で寝ることができ放射線が透過可能であり，被検者の顔の部分が位置する部分と，胸部が位置する部分と，腹部以下の下半身が位置する部分を有し，前記被検者の顔の部分が位置する部分の厚さが前記腹部以下の下半身が位置する部分の厚さよりも大きいマット部材と，
　前記マット部材の前記胸部が位置する部分に形成され，被検者の左右の乳房を入れることができる窪み
と，を具備してなる乳房固定具。」である点で一致し，以下の点で相違するといえる。　
　
（相違点１）　
　マット部材の被検者の顔の部分が位置する部分と，胸部が位置する部分と，腹部以下の下半身が位置する部分について，補正発明が，「第１の部分」と，「第２の部分」と，「第３の部分」とそれぞれ特定し，「第２の部分」が足部が位置されるように用いられる低い部分から頭部が位置される高い部分に向かって厚さが漸増するのに対して，引用発明では，その点が特定されていない点。
　
（相違点２）
　マット部材について，補正発明が，「左右の乳房を個別に入れることができる分離した一対の椀状の窪みと，」「前記一対の窪みに乳房を挿入した状態で前記窪み内の空気を吸引するため」に「形成した，吸引穴」を具備するのに対して，引用発明では，そのような構成を具備していない点。
　
（相違点３）　
　窪みについて，補正発明が，「開口部周辺にあって，乳房が当接する位置にそれぞれ取り付けられるゴム部材」を備えるの対して，引用発明では，そのような構成を備えるか不明である点。
　
（１）相違点１についての検討
　刊行物２の摘記事項（２−イ）より，「図２・５（ａ）には，被検者の顔の部分と，胸部部分と，腹部以下の下半身が載る部分を有し，これらの各部分は区別されて」記載されている。
　検査において，呼吸運動の影響を抑制することは正確な測定のための当然の課題であり，上記（２−ア）には，「腹臥位では，呼吸運動が乳房に対してほんのわずかな影響しか与えない。」と上記図２・５（ａ）と図２・５（ｂ）記載の腹臥位のものが，上記課題の解決手段であることが記載されている。
　ここで、図２・５（ａ）、図２・５（ｂ）の記載からもわかるように、腹臥位のものにおいて、マット部材は各部において厚さを変化させるものであり、そして，その各部分の厚さの変化の形態は，想定する対象の形状に応じて当業者げ適宜成し得る設計事項である。
　してみると，引用発明に刊行物２記載の上記技術事項を採用して，各部分をそれぞれ「第１の部分」，「第２の部分」，「第３の部分」として，相違点１に記載の補正発明の構成とすることは，十分動機付けがあり，阻害要因もなく，さらに、各部分の厚さの変化の形態として、第２の部分が足部が位置されるように用いられる低い部分から頭部が位置される高い部分に向かって厚さが漸増するとすることに困難性は認められないので、当業者が容易に想到するものといえる。
　
（２）相違点２についての検討
　刊行物３の摘記事項（３−イ）には「乳房挿入用容器９は・・・くぼみ１０の乳房５の乳首が位置する真下附近に容器が抜ける穴１１を設けて空気吸引用の・・・管１２を取付けた構造のもので・・・空気吸引装置で吸引排気する。すると乳房５は・・・容器９のくぼみ１０に略密着する。」と記載されている。刊行物４の摘記事項（４−イ）には「外側部材１０５と内側部材１１０との間の隙間スペース１３５内に存在する空気が吸引ポート１４５から吸引されることにより，・・・内側部材に胸部が密着し」と記載されている。　また，これらの窪みは椀状であるといえる。
　そうすると，一つの乳房を密着させるために椀状の窪みに吸引口を設け吸引する椀状のものは，周知技術である。
　また，上記摘記事項（３−イ）には「かようにして乳房５をＸ線撮影すれば，・・・乳房５は明瞭なＸ線像としてＸ線フィルムに撮影される」と，明瞭なＸ線像が得られるという上記周知技術の効果が記載されている。
　そうすると，医療撮影において，明瞭な画像を得ようとすることは，正確な診断・治療を行うための当然の課題であるから，引用発明に，上記周知技術を適用することは，十分動機付けがあるといえる。
　そして，引用発明に，上記周知技術を適用すると，第一にマット１の長穴に吸引口を設け吸引排気するものとなる。そして、第二に上記適用によって生じた、「マット１の長穴」の形状は，一つの乳房を密着させるための一つの窪みのみとなる場合と，一つの乳房を密着させるための一つの窪みが，乳房の数に合わせて分離した一対となる補正発明と同じ場合が考えられる。
　そこで考察するに，前者の場合は，２つの乳房の内の１つのみが窪みに密着し，残りの乳房は窪みがないことになるが，この場合左右の乳房が異なる環境下とになり，その撮影画像は左右で異なる状態となり，上記正確な診断・治療を行うため明瞭な画像を得るという課題の解決に適切ではないので，阻害要因があるといえる。
　一方，補正発明と同じ後者の場合は，２つの乳房がそれぞれ窪みに密着し，左右の乳房が同じ環境下となるので上記阻害要因はない。
　してみると，引用発明に，上記周知技術を適用し，当該適用においてマット部材に吸引穴を形成し、さらに、一つの窪みが，乳房の数に合わせて分離した一対となるように構成して相違点２に記載の補正発明の構成とすることは，十分動機付けがあり，阻害要因もなく，当業者が容易に想到するものといえる。　
　
（３）相違点３についての検討
　窪みの開口部周辺にあって，乳房が当接する部分は，角部であって，人体と接触するので，人体に優しい柔らかいもので構成しようとすることは，人体と接触するものに対する周知の技術課題である。
　そして，人体と接触することができ、人体に優しい柔らかいものとして，ゴム部材は周知技術である。
　してみると，引用発明に上記周知技術を採用して，相違点３に記載の補正発明の構成とすることは，十分動機付けがあり，阻害要因もなく，当業者が容易に想到するものといえる。
　
（４）そして，補正発明の作用効果は，刊行物１〜２記載の事項および周知技術から当業者が予測し得る範囲内のものにすぎない。
　
（５）したがって，補正発明は，引用発明，刊行物２記載の事項および周知技術に基いて当業者が容易に発明をすることができたものであるというべきであり，特許法第２９条第２項の規定により，特許出願の際独立して特許を受けることができないものである。
　
（６）まとめ　
　以上のとおりであるから，本件補正は，平成１８年法改正前の特許法第１７条の２第５項において準用する同法第１２６条第５項の規定に違反するので，同法第１５９条第１項の規定において読み替えて準用する同法第５３条第１項の規定により，却下すべきものである。　
　
４　補正の却下に関するまとめ　
　以上のとおりであるから，本件補正は，平成１８年法改正前の特許法第１７条の２第４項の規定に違反するので，同法第１５９条第１項において読み替えて準用する同法第５３条第１項の規定により却下すべきものである。
　または，本件補正は，平成１８年法改正前の特許法第１７条の２第５項において準用する同法第１２６条第５項の規定に違反するので，同法第１５９条第１項の規定において読み替えて準用する同法第５３条第１項の規定により，却下すべきものである。
　
第３　本願発明について　
１　本願発明　
　本件補正は，上記のとおり却下されることとなるので，本願の請求項１〜５に係る発明は，平成２４年６月１３日付け手続補正書により補正された特許請求の範囲の請求項１〜５に記載された事項により特定されたものであって，その請求項３に係る発明は，次のとおりであると認める。　
「【請求項３】
　被検者の乳房撮影のために使用する乳房固定具であって，
　被検者がうつ伏せ状態で寝ることができ放射線が透過可能であり，被検者の顔の部分が載る第１の部分と，胸部が載る第２の部分と，腹部以下の下半身が載る第３の部分を有し，前記第１の部分の厚さが前記第３の部分の厚さよりも大きく，前記第２の部分が前記第３の部分から第１の部分に向かって厚さが漸増するマット部材と，
　前記マット部材の前記第２の部分に形成され，被検者の左右の乳房を個別に入れることができる分離した一対の椀状の窪みと，
　前記一対の椀状の窪みの開口部周辺の，乳房が当接する位置にそれぞれ取り付けたゴム部材と，
　前記窪みに乳房を挿入した状態で前記一対の窪み内の空気を吸引するための吸引穴と，を具備してなる乳房固定具。」（以下，「本願発明」という。）
　
２　引用刊行物およびその記載事項　
　本願出願前に頒布された刊行物１〜４およびその記載事項は，上記「第２　３　３−１」に記載したとおりである。　
　
３　当審の判断　
　「第２　２　本件補正の適否　（１）」で検討した補正について,補正される前の場合については、補正発明の「前記
一対の
記窪
　「第２　２　本件補正の適否　（２）」で検討した補正について,補正される前の場合については、本願発明は，補正発明の「空気を吸引するため
，前記マット部材に形成した
　したがって，補正発明について，上記「第２　３　３−２」において検討したとおり，引用発明，刊行物２記載の事項および周知技術に基いて，当業者が容易に発明をすることができたものであるから，本願発明も，同様の理由により，引用発明，刊行物２記載の事項および周知技術に基いて当業者が容易に発明をすることができたものであるというべきである。
　
第４　むすび　
　以上のとおり，本願発明は，特許法第２９条第２項の規定により特許を受けることができないから，その他の請求項について言及するまでもなく，本願は拒絶されるべきものである。　
　よって，結論のとおり審決する。